(57)【要約】【課題】精度の良い安定したトラッキング動作を可能とする。【解決手段】光を出射する光源２３と、光源２３から出射された出射光をメインビームと２つのサブビームに分割する回折格子３１１と、メインビームとサブビームの戻り光を回折するホログラム３１２と、ホログラム３１２で回折された回折光を受光する受光部２５とを有し、ホログラム３１２、サブビームの戻り光を回折して２つの回折光に分割し、受光部２５におけるサブビームの戻り光の回折光を受光するフォトディテクタ２５２ｂ，２５２ｃの受光領域は、２つの回折光に基づくそれぞれのビームスポットのうち、メインビームの戻り光の回折光から離れているビームスポットを含むようにサイズと位置を設定する。【選択図】        図２
2006338826.tif 000002
【特許請求の範囲】
【請求項１】
光を出射する光源と、
前記光源から出射された出射光をメインビームと２つのサブビームに分割する第１の回折素子と、
前記メインビームとサブビームの戻り光を回折する第２の回折素子と、
前記第２の回折素子で回折された回折光を受光する受光部とを有し、
前記第２の回折素子は、前記サブビームの戻り光を回折して複数の回折光に分割し、
前記受光部における前記サブビームの戻り光の回折光を受光する受光領域は、一部の前記分割された回折光に基づくビームスポットを含むようにサイズと位置を設定した
ことを特徴とする光学装置。
【請求項２】
前記サブビームの回折光を受光する受光領域は、前記サブビームの戻り光を回折して得られた複数の回折光のうち、前記メインビームの戻り光の回折光から離れている回折光に基づいたビームスポットを含むようにサイズと位置を設定した
ことを特徴とする請求項１記載の光学装置。
【請求項３】
前記第２の回折素子は、第１および第２の回折領域を有し、該第１および第２の回折領域によって戻り光を回折して２つの回折光に分割する
ことを特徴とする請求項１記載の光学装置。
【請求項４】
光を出射する光源と、
前記光源から出射された出射光をメインビームと２つのサブビームに分割する第１の回折素子と、
前記メインビームとサブビームを光学ディスクに集光すると共に、前記光学ディスクからのメインビームとサブビームの戻り光を集光するレンズ部と、
前記メインビームとサブビームの戻り光を回折する第２の回折素子と、
前記第２の回折素子で回折された回折光を受光する受光部とを有し、
前記第２の回折素子は、前記サブビームの戻り光を回折して複数の回折光に分割し、
前記受光部において、トラッキングエラー信号を生成するために前記サブビームの戻り光の回折光を受光する受光領域は、一部の前記分割された回折光に基づくビームスポットを含むようにサイズと位置を設定した
ことを特徴とする光ピックアップ装置。
【請求項５】
光学ディスクに対して情報を記録および／または再生する光ピックアップと、前記光学ディスクを回転駆動するディスク回転駆動手段とを備える光学ディスク装置において、
前記光ピックアップは、
光を出射する光源と、
前記光源から出射された出射光をメインビームと２つのサブビームに分割する第１の回折素子と、
前記メインビームとサブビームを光学ディスクに集光すると共に、前記光学ディスクからのメインビームとサブビームの戻り光を集光するレンズ部と、
前記メインビームとサブビームの戻り光を回折する第２の回折素子と、
前記第２の回折素子で回折された回折光を受光する受光部とを有し、
前記第２の回折素子は、前記サブビームの戻り光を回折して複数の回折光に分割し、
前記受光部において、トラッキングエラー信号を生成するために前記サブビームの戻り光の回折光を受光する受光領域は、一部の前記分割された回折光に基づくビームスポットを含むようにサイズと位置を設定した
ことを特徴とする光学ディスク装置。
【発明の詳細な説明】
【技術分野】
【０００１】
この発明は、光学装置と光ピックアップ装置および光学ディスク装置に関する。詳しくは、サブビームの戻り光を回折して複数の回折光に分割し、この回折光を受光する受光部の受光領域は、一部の分割された回折光に基づくビームスポットを含むようにサイズと位置を設定して、トラッキング誤差の検出を行うものである。
【背景技術】
【０００２】
従来、ＣＤ(Compact Disc)やＤＶＤ(Digital Versatile Disc)等の光学ディスクに対して情報の記録および／または再生で用いる光ピックアップ装置では、光学ディスクに対して情報を記録したり、記録されている情報を再生するために、レーザ光を出射する光源や光学ディスクからの戻り光を受光する受光部を有する光学装置が設けられている。また、光ピックアップ装置には、光学装置から出射されたレーザ光をＣＤおよびＤＶＤの記録面に集光するための回折型の対物レンズや、対物レンズの光軸に平行なフォーカシング方向および対物レンズの光軸に直交するトラッキング方向に対物レンズをそれぞれ駆動変位させて、光学ディスクにおける記録面上の所望の位置にレーザ光を集光させるレンズ駆動機構等とを備えている。
【０００３】
光学装置は、例えば特許文献１の発明の光集積ユニットのように、基板上にレーザ光を出射する半導体レーザ素子が設けられており、基板には光学ディスクがＣＤであるときに用いられる受光部と、光学ディスクがＤＶＤであるときに用いられる受光部が設けられている。さらに、レーザ光の出射方向を変更するための傾斜ミラーが形成されている。なお、レーザ光の出射方向を変更するために、半導体レーザ素子と対向する位置にプリズムミラー等を載置することも行われている。
【０００４】
【特許文献１】特開２００１−１０２６７６号公報
【発明の開示】
【発明が解決しようとする課題】
【０００５】
ところで、３ビーム法でトラッキングエラーを検出する場合、特許文献１の発明のように、ホログラム素子でサブビームを回折することにより得られるマイナス１次回折光を、受光部のサブビームに対応する受光領域に照射する。このとき、受光部のサブビームに対応する受光領域は、マイナス１次回折光に基づくビームスポットが全て含まれるようにサイズや位置を設定しないと、正しくトラッキングエラーを検出することができなくなってしまう。
【０００６】
ここで、マイナス１次回折光に基づくビームスポットが全て含まれるように受光領域のサイズを設定すると、受光領域のサイズが大きくなる。このため、回折型の対物レンズからの反射光や、光学装置内における乱反射等によって生じた迷光が受光領域に入射し易くなり、この反射光や迷光が受光領域に入射されるとトラッキングエラーの検出結果に誤差を生じて、正しくトラッキング動作を行うことができなくなってしまう。また、受光領域に入射される反射光や迷光は、光学装置の組み立て時におけるバラツキ、光学装置を構成する部品の特性のバラツキ、光学ディスクの偏心、対物レンズのレンズシフト等によって変化するため、トラッキングエラーの検出結果の変動も生じやすく、トラッキング動作が不安定となってしまうおそれがある。
【０００７】
そこで、この発明では、精度の良い安定したトラッキング動作を可能とする光学装置と光ピックアップ装置および光学ディスク装置を提供するものである。
【課題を解決するための手段】
【０００８】
この発明に係る光学装置と光ピックアップ装置および光学ディスク装置では、光を出射する光源と、光源から出射された出射光をメインビームと２つのサブビームに分割する第１の回折素子と、メインビームとサブビームの戻り光を回折する第２の回折素子と、第２の回折素子で回折された回折光を受光する受光部とを設けて、第２の回折素子では、サブビームの戻り光を回折して複数の回折光に分割し、受光部におけるサブビームの戻り光の回折光を受光する受光領域は、一部の分割された回折光に基づくビームスポットを含むようにサイズと位置が設定される。例えば、第２の回折素子は第１および第２の回折領域を有し、第１および第２の回折領域によって戻り光を回折して２つの回折光が生成される。この２つの回折光のうち、メインビームの戻り光の回折光から離れている回折光に基づいたビームスポットを含むようにサイズと位置が設定される。
【発明の効果】
【０００９】
この発明によれば、サブビームの戻り光が第２の回折素子によって回折されて複数の回折光に分割される。また、受光部におけるサブビームの戻り光の回折光を受光する受光領域は、一部の分割された回折光に基づくビームスポットを含むようにサイズと位置が設定される。このため、サブビームの戻り光の回折光を受光する受光領域では、サブビームの戻り光の回折光を全て含むようにサイズを設定した場合に比べて、回折型の対物レンズからの反射光や光学装置内の迷光が入射し難くなり、精度の良い安定したトラッキング動作を行うことができる。
【発明を実施するための最良の形態】
【００１０】
以下、本発明の実施形態について、図面を参照して説明する。本発明に係る光学ディスク装置では、光学ディスクとしてＣＤ(Compact Disc)，ＤＶＤ(Digital Versatile Disc)がそれぞれ適用される。
【００１１】
図１は、光ピックアップ装置が備える光学系の概略構成を示している。光ピックアップ装置１０には、光学ディスク５０に対して情報を記録したり、記録されている情報を再生するために、レーザ光を出射する光源や光学ディスクからの戻り光を受光する受光部を有する光学装置２０が設けられている。また、光ピックアップ装置１０には、光学装置２０から出射されたレーザ光をＣＤおよびＤＶＤの記録面に集光するためのレンズ部が設けられている。
【００１２】
レンズ部は、コリメータレンズ４１や対物レンズ４２で構成されている。コリメータレンズ４１は、光学装置２０から出射されたレーザ光を平行光に変換する。また、コリメータレンズ４１は、光学ディスク５０からの戻り光を光学装置２０に集光させる。
【００１３】
対物レンズ４２は、回折型の対物レンズが用いられており、光学ディスク５０がＣＤあるいはＤＶＤの何れであっても、光学装置２０からのレーザ光を光学ディスク５０の記録面に集光させる。また、対物レンズ４２は、光学ディスク５０からの戻り光を、コリメータレンズ４１を介して光学装置２０に集光させる。この対物レンズ４２は、レンズ駆動機構（図示せず）によって、対物レンズ４２の光軸方向や光軸方向と直交する方向に駆動変位される。
【００１４】
コリメータレンズ４１と対物レンズ４２との間には、方向変換ミラー４３が設けられており、光学装置２０から出射されたレーザ光と、光学ディスク５０からの戻り光の向きが変換される。例えば光学装置２０から光学ディスク５０と略平行にレーザ光を出射して、このレーザ光の向きを光学ディスク５０のディスク面に対して垂直方向に変換する。また、光学ディスク５０からの戻り光を光学ディスク５０と略平行となる方向に変換する。このように、光学装置２０から出射されたレーザ光と、光学ディスク５０からの戻り光の向きを変換することで、光学ディスク５０のディスク面に対して垂直方向における光ピックアップ装置のサイズを小さくできる。すなわち、光ピックアップ装置を用いた光学ディスク装置の薄型化が可能となる。
【００１５】
図２は、光学装置の要部構成を示している。光学装置２０は、光集積素子２１とホログラム素子３１を用いて構成されている。  
光集積素子２１は、半導体基板２２上に、光源２３とプリズムミラー２４が載置されており、半導体基板２２には受光部２５が設けられている。
【００１６】
光源２３は、レーザダイオード２３１をフォトダイオード２３２上に載置した所謂ＬＯＰ(Laser On Photodiode)の構造とされている。レーザダイオード２３１は、出射光として光学ディスクに対応した所定の波長の光、例えばＤＶＤに対応した第１の波長（６５０ｎｍ程度）のレーザ光ＬＢdと、ＣＤに対応した第２の波長（７８０ｎｍ程度）のレーザ光ＬＢcとを出射する。このレーザダイオード２３１では、レーザ光の各発光点が、例えば約１００〜１２０μｍの間隔をあけて設けられている。また、情報の記録密度の高い光学ディスク、すなわちＤＶＤに対応する第１の波長のレーザ光ＬＢdは、コリメータレンズ４１や対物レンズ４２等の光学系の光軸位置を通過するように設定されており、ＣＤに対応する第２の波長のレーザ光ＬＢcは、光軸位置に対してオフセットされた位置を通過するものとされている。
【００１７】
フォトダイオード２３２には、レーザ光の出力を検出するためのフォトディテクタ（図示せず）が形成されており、このフォトディテクタの検出結果を利用して、レーザ光ＬＢc，ＬＢdの出力が所望のレベルに制御される。
【００１８】
プリズムミラー２４は、レーザダイオード２３１と対向する位置に設けられており、レーザダイオード２３１から出射されたレーザ光ＬＢc，ＬＢdの向きを、ホログラム素子３１の方向に変換する。
【００１９】
ホログラム素子３１は、光集積素子２１と上述のコリメータレンズ４１との間に設けられている。ホログラム素子３１は、例えば透明樹脂で構成されている。ホログラム素子３１の光集積素子側の面には、第１の回折素子である回折格子３１１が設けられている。また、ホログラム素子３１のコリメータレンズ側の面には、第２の回折素子であるホログラム３１２が形成されている。
【００２０】
回折格子３１１は、レーザダイオード２３１から出射された第２の波長のレーザ光ＬＢcをメインビームである０次光と、サイドビームである±１次光とからなる３ビームに分割する。
【００２１】
ホログラム３１２は、レーザダイオード２３１からの出射されたレーザ光ＬＢc，ＬＢdを透過させるとともに、光学ディスク５０からの戻り光を回折して複数の回折光に分割して受光部２５に導くものである。なお、回折光は回折格子３１１を通過することなく受光部２５に導かれるように、回折格子３１１とホログラム３１２の位置が設定されている。ホログラム３１２は、光学ディスクがＤＶＤであるときに後述する位相差法を用いたトラッキング動作を行うため、図３に示すように、ホログラム３１２の略円形のホログラム領域が、直線状の分割線Ｌによって第１および第２の回折領域である半円形のホログラム領域３１２ａ，３１２ｂに分割されている。ホログラム領域３１２ａ，３１２ｂのホログラムパターンは、光学ディスク５０からの戻り光を互いに異なる回折角でそれぞれ回折し、各回折光の焦点位置が互いに異なるように形成されている。
【００２２】
ホログラム３１２上には、第１の波長のレーザ光ＬＢdに対して１／４波長の位相差を与え、第２の波長のレーザ光ＬＢcに対しては１波長の位相差となる波長板（図示せず）を設ける。この場合、第１の波長のレーザ光ＬＢdは、直線偏光から円偏光に変換されて光学ディスク５０に照射されるので、光学ディスク５０の特性の違いによる偏向のバラツキが少なくなり、光学ディスク５０の特性の違いによる影響を少なくできる。光学ディスク５０からの戻り光は、波長板によって出射光と直交する方向の直線偏光となり、ホログラム３１２で回折される。また、第２の波長のレーザ光ＬＢcに対しては、波長板での位相差が１波長されていることから出射光と戻り光の偏光は変わらない。
【００２３】
受光部２５は、ホログラム３１２からの回折光を受光するフォトディテクタで構成されている。ここで、ホログラム３１２によって、第１の波長および第２の波長の戻り光がそれぞれ回折される際に、ホログラム３１２による回折角が波長に比例することを考慮して、第１の波長に比して長波長とされている第２の波長の回折光を受光するフォトディテクタ２５２が、第１の波長の回折光を受光するフォトディテクタ２５１よりも、レーザダイオード２３１から遠い側に位置に形成されている。
【００２４】
受光部２５のフォトディテクタ２５１は、図４に示すように、受光領域ＰＤda1，ＰＤda2，ＰＤdb，ＰＤdc1，ＰＤdc2，ＰＤddを有している。フォトディテクタ２５２は、第２の波長のレーザ光ＬＢcがメインビームと２つのサブビームに分割されていることから、メインビームの戻り光の回折光を受光するメインビーム用フォトディテクタ２５２ａとサイドビームの戻り光の回折光を受光する一組のサイドビーム用フォトディテクタ２５２ｂ，２５２ｃで構成される。このサイドビーム用フォトディテクタ２５２ｂ，２５２ｃは、メインビーム用フォトディテクタ２５２ａを挟むように設けられている。メインビーム用フォトディテクタ２５２ａは、受光領域ＰＤca，ＰＤcb，ＰＤcc，ＰＤcdを有している。また、サイドビーム用フォトディテクタ２５２ｂは受光領域ＰＤce、サイドビーム用フォトディテクタ２５２ｃは受光領域ＰＤcfを有している。
【００２５】
フォトディテクタ２５１には、ホログラム３１２によって第１の波長の戻り光を回折することにより得られた回折光に基づき、半円形の１対のビームスポットが照射される。例えばフォトディテクタ２５１の受光領域ＰＤda1，ＰＤda2，ＰＤdbには、ホログラム３１２のホログラム領域３１２ａによって第１の波長の戻り光を回折して得られた回折光によって、半円形のビームスポットが形成される。同様に、受光領域ＰＤdc1，ＰＤdc2，ＰＤddには、ホログラム３１２のホログラム領域３１２ｂによって第１の波長の戻り光を回折して得られた回折光に基づき、半円形のビームスポットが形成される。
【００２６】
同様に、受光部２５におけるメインビーム用フォトディテクタ２５２ａには、ホログラム３１２によって第２の波長の戻り光を回折して得られた回折光に基づく１対のビームスポットが形成される。なお、第１の波長のレーザ光ＬＢdは、上述のように光学系の光軸位置を通過するように設定されており、第２の波長のレーザ光ＬＢcは、光軸位置がオフセットされた位置を通過するものとされている。このため、フォトディテクタ２５１に形成されるビームスポットは略半円形となり、フォトディテクタ２５２に形成されるビームスポットは傾いた楕円を切断したような形状となる。
【００２７】
受光部２５のサブビーム用フォトディテクタ２５２ｂ，２５２ｃには、ホログラム３１２によって第２の波長の戻り光を回折して得られた回折光に基づく１対のビームスポットが形成される。ここで、サイドビーム用フォトディテクタ２５２ｂの受光領域ＰＤceとサイドビーム用フォトディテクタ２５２ｃの受光領域ＰＤcfを、図４Ａに示すように１対のビームスポットを含むようにサイズと位置を設定した場合について説明する。この場合、受光領域の面積が広いため、回折型の対物レンズ４２からの反射光や光学装置２０内の迷光の影響を受けやすくなり、受光領域では第２の波長のサブビームの戻り光に応じた信号を正しく生成できない場合が生じやすくなってしまう。
【００２８】
したがって、サイドビーム用フォトディテクタ２５２ｂの受光領域ＰＤceとサイドビーム用フォトディテクタ２５２ｃの受光領域ＰＤcfは、図４Ｂに示すように、サブビームの戻り光をホログラム３１２によって回折して得られた複数の回折光に基づくビームスポットのうち、一部の回折光に基づくビームスポットを含むようにサイズと位置を設定する。例えば、サブビームの戻り光をホログラム３１２のホログラム領域３１２ａ，３１２ｂで回折して得られた回折光に基づく１対のビームスポットのうち、１つのビームスポットを含むように設定する。
【００２９】
このように、１つのビームスポットを含むように設定すると、受光領域の面積が小さくなるため、回折型の対物レンズ４２からの反射光や光学装置２０内の迷光を入射し難くすることができる。
【００３０】
さらに、１対のビームスポットのうち、メインビームのビームスポットから離れているビームスポットのみを含むように受光領域を設定すれば、フォーカスずれ等によってメインビームのサイズや形状が変動したときに、メインビームのビームスポットがサブビーム用に設けた受光領域に与える影響を少なくできるので、受光領域ではサブビームの戻り光の回折光に応じた信号を正しく生成できる。
【００３１】
また、１つのビームスポットを含むように受光領域ＰＤce，ＰＤcfを設定する場合、ビームスポットの並び方向にして直交する方向（トラック方向）の幅を、図４Ｃに示すように、メインビームに対応する受光領域よりも狭く設定してビームスポットに対応するサイズとすれば、図４Ｂに示す場合よりも受光領域のサイズを小さくすることができるので、反射光や迷光の影響をさらに受けにくくできる。なお、受光領域をビームスポットに対応するサイズに小さくする場合、部品の寸法誤差や組み立て誤差、使用温度変化等によるビームスポットの変動を考慮して受光領域を設定することは勿論である。
【００３２】
このように構成された光ピックアップ装置では、ＣＤ，ＤＶＤを用いるときのフォーカシングエラーの検出方法として、略半円形のビームスポットによるいわゆるスポットサイズ法を用いている。また、ＤＶＤを用いるときのトラッキングエラーの検出方法として、いわゆる位相差法が用いられるとともに、ＣＤを用いたときのトラッキングエラーの検出方法として、いわゆる３スポット法が用いられている。
【００３３】
ここで、フォトディテクタ２５１の受光領域ＰＤda1，ＰＤda2，ＰＤdb，ＰＤdc1，ＰＤdc2，ＰＤddの各出力信号をＳＰda1，ＳＰda2，ＳＰdb，ＳＰdc1，ＳＰdc2，ＳＰddとしたとき、ＤＶＤの再生信号ＲＦ(DVD)は、式（１）により算出できる。また、フォーカスエラー信号ＦＥ(DVD)は、式（２）により算出できる。さらにトラッキングエラー信号ＴＥ(DVD)は、式（３）により算出できる。
【００３４】
ＲＦ(DVD)＝(ＳＰda1＋ＳＰda2)＋ＳＰdb＋(ＳＰdc1＋ＳＰdc2)＋ＳＰdd・・・（１）
ＦＥ(DVD)＝((ＳＰda1＋ＳＰda2)＋(ＳＰdc1＋ＳＰdc2))
−(ＳＰdb＋ＳＰdd) ・・・（２）
ＴＥ(DVD)＝((ＳＰda1＋ＳＰda2)＋(ＳＰdc1＋ＳＰdc2))と
(ＳＰdb＋ＳＰdd)の位相比較         ・・・（３）
また、メインビーム用フォトディテクタ２５２ａの受光領域ＰＤca，ＰＤcb，ＰＤcc，ＰＤcdの各出力をＳＰca，ＳＰcb，ＳＰcc，ＳＰcd、サイドビーム用フォトディテクタ２５２ｂの受光領域ＰＤceの出力をＳＰce、サイドビーム用フォトディテクタ２５２ｃの受光領域ＰＤcfの出力をＳＰcfとしたとき、ＣＤの再生信号ＲＦ(CD)は、式（４）により算出できる。また、フォーカスエラー信号ＦＥ(CD)は、式（５）により算出できる。さらにトラッキングエラー信号ＴＥ(CD)は、式（６）により算出できる。
【００３５】
ＲＦ(CD)＝ＳＰca＋ＳＰcb＋ＳＰcc＋ＳＰcd    ・・・（４）
ＦＥ(CD)＝(ＳＰca＋ＳＰcc)−(ＳＰcb＋ＳＰcd)・・・（５）
ＴＥ(CD)＝ＳＰce−ＳＰcf                    ・・・（６）
受光領域ＰＤce，ＰＤcfは、上述のように１対のビームスポットのうち、メインビームのビームスポットから離れているビームスポットを含むように形成されているので、反射光や迷光が受光領域ＰＤce，ＰＤcfに入射し難くなる。したがって、受光領域ＰＤce，ＰＤcfの出力ＳＰce，ＳＰcfは、反射光や迷光による影響が少なくサイドビームの戻り光の回折光に基づいた信号となり、正しいトラッキングエラー信号を生成できる。このため、精度の良い安定したトラッキング動作を行うことが可能となる。
【００３６】
なお、本発明に係る光ピックアップ装置は、光学ディスクとしてＣＤ，ＤＶＤを用いる場合について説明したが、例えば、情報の追記が可能とされるＣＤ−Ｒ(Recordable)、情報の書き換えが可能とされるＣＤ−Ｒ(Recordable)、ＤＶＤ−ＲＷ(ReWritable)や光磁気ディスク等の他の光学ディスクに適用されてもよいことは勿論である。
【００３７】
次に、上述の光ピックアップ装置を用いた光学ディスク装置の要部構成について、図５を用いて簡単に説明する。なお、図５で示す光ピックアップ６１は、上述の光ピックアップ装置１０と構成が同一のものであり、光ピックアップ６１に関する説明は省略する。
【００３８】
光学ディスク装置６０に設けられている光ピックアップ６１は、ディスクテーブル７１に載置された光学ディスク５０に対してレーザ光を照射して、この光学ディスク５０からの戻り光に基づいて、フォーカスエラー信号やトラッキングエラー信号を生成してサーボ回路６２に供給する。また、再生信号を生成して信号処理回路６３に供給する。
【００３９】
サーボ回路６２は、フォーカスエラー信号に基づいてフォーカスドライブ信号を生成して光ピックアップ６１のレンズ駆動機構（図示せず）に供給して、レーザ光を光学ディスク５０の記録面に集光させる。また、トラッキングエラー信号に基づきトラッキングドライブ信号を生成して光ピックアップ６１のレンズ駆動機構に供給して、レーザ光の照射位置が光学ディスク５０のトラック上の位置に保持されるように制御する。
【００４０】
信号処理回路６３は、再生信号の復調処理や誤り訂正処理を行い出力信号を生成する。また、復調処理を行うことにより得られたアドレス情報を制御回路６５に供給する。さらに、復調処理を行うことにより得られた同期信号に基づき、モータ駆動信号を生成してスピンドルモータ７０に供給することで、スピンドルモータ７０によってディスクテーブル７１に載置されている光学ディスク５０を所望の速度で回転させる。なお、光学ディスク５０に符号化された映像や音声の信号が記録されているときには復号化処理を行い、復号化処理後の映像信号や音声信号を出力する。
【００４１】
制御回路６５は、サーボ回路６２や信号処理回路６３の動作を制御する。また、光ピックアップ６１の位置を固定した状態で例えば光学ディスク５０に記録されている信号を読み出すと、レーザ光の照射位置がトラッキングサーボ範囲から外れてしまう。このため、送り制御信号を生成してアクセス制御回路６８に供給し、アクセス制御回路６８によって送り機構６９を駆動して、レーザ光の照射位置がトラッキングサーボ範囲から外れてしまうことがないように、光ピックアップ６１を光学ディスク５０の径方向に移動させる。また、制御回路６５は、レーザ光の照射位置を離れたトラック位置に移動する場合、トラッキングサーボ動作を停止させたのち、送り制御信号をアクセス制御回路６８に供給して、レーザ光の照射位置が所望のトラック位置やこのトラック位置の近傍位置となるように光ピックアップ６１を光学ディスク５０の径方向に移動させる。その後、トラッキングサーボ動作を開始して、レーザ光の照射位置が光学ディスク５０のトラック上の位置に保持されるように制御する。
【００４２】
このように、本発明に係る光学装置や光ピックアップ装置および光学ディスク装置に用いるものとすれば、光学装置内の迷光や対物レンズからの反射光等の影響が少ないトラッキングエラー信号を生成できるので、精度の良い安定したトラッキングサーボ動作を行うことが可能となり、光学ディスク装置を安定して動作させることができる。
【図面の簡単な説明】
【００４３】
【図１】光ピックアップ装置が備える光学系の概略構成を示す図である。
【図２】光学装置の要部構成を示す図である。
【図３】２分割ホログラム光学素子を示す図である。
【図４】受光部の構成を示す図である。
【図５】光学ディスク装置の要部構成を示す図である。
【符号の説明】
【００４４】
１０・・・光ピックアップ装置、２０・・・光学装置、２１・・・光集積素子、２２・・・半導体基板、２３・・・光源、２４・・・プリズムミラー、２５・・・受光部、３１・・・ホログラム素子、４１・・・コリメータレンズ、４２・・・対物レンズ、４３・・・方向変換ミラー、５０・・・光学ディスク、６０・・・光学ディスク装置、６１・・・光ピックアップ、６２・・・サーボ回路、６３・・・信号処理回路、６５・・・制御回路、６８・・・アクセス制御回路、６９・・・送り機構、７０・・・スピンドルモータ、７１・・・ディスクテーブル、２３１・・・レーザダイオード、２３２・・・フォトダイオード、２５１，２５２・・・フォトディテクタ、２５２ａ・・・メインビーム用フォトディテクタ、２５２ｂ，２５２ｃ・・・サブビーム用フォトディテクタ、３１１・・・回折格子、３１２・・・ホログラム、３１２ａ，３１２ｂ・・・ホログラム領域
【図１】
2006338826.tif 000003
【図２】
2006338826.tif 000004
【図３】
2006338826.tif 000005
【図４】
2006338826.tif 000006
【図５】
2006338826.tif 000007